(57)【要約】【課題】貼付け不良が生じることなく、組み上げが容易で梱包し易い浅い包装箱を提供する。【解決手段】矩形の底部１ａ、底部の四周に連なる高さの低い第１側壁部１ｂと第２側壁部１ｃ、第１側壁部１ｂに連なる第１フラップ１ｄ、第２側壁部１ｃに連なる第２フラップ１ｅとを備え、第１フラップ１ｄの側端に、第１フラップ１ｄの内面に貼り合せ連結される略台形形状の貼付け部１ｆを内折り可能に連設するとともに、この貼付け部１ｆと第１フラップ１ｄとの繋がり長さを、第２フラップ１ｅの高さよりも長く設定し、かつ、貼付け部１ｆの傾斜側端と台形形状に形成された第２フラップ１ｅの傾斜側端とを傾斜折り線ｈ，ｇを介して折込み部１ｈ，１ｇでつなぎ、この折込み部１ｈ，１ｇを中央の中折り線ｉを介して折込み重合可能に構成してある。【選択図】図４
0003163315.tif 000002
【実用新案登録請求の範囲】
【請求項１】
矩形の底部と、該底部の四周辺に連なる、２つの対向する第１側壁部および２つの対向する第２側壁部と、前記各第１側壁部にそれぞれ連なる第１フラップと、前記各第２側壁部にそれぞれに連なる第２フラップと、を備え、
前記各第１フラップそれぞれの内面に貼り合せ連結される貼付け部を、それぞれ、折り線を介して内折り可能に前記各第１フラップそれぞれの側端に連設し、
前記各貼付け部に形成した傾斜側端と台形形状に形成した前記各第２フラップの傾斜側端とをそれぞれ傾斜折り線を介して折込み部で繋ぎ、
これら各折込み部それぞれを、それぞれの中央の中折り線を介して折込み重合可能とした、
ことを特徴とする包装箱。
【請求項２】
前記貼付け部と前記第１フラップとの繋がり長さを、台形形状の前記第２フラップの高さよりも長く設定してある請求項１記載の包装箱。
【請求項３】
前記貼付け部と前記折込み部との境界に形成した前記傾斜折り線から貼付け部側に突出する突起を前記折込み部の側端に備えてある請求項１または２記載の包装箱。
【請求項４】
前記貼付け部と前記折込み部との境界に形成した前記傾斜折り線に臨む打抜き孔を貼付け部に形成してある請求項１ないし３のいずれかに記載の包装箱。
【請求項５】
前記折込み部を内折り重合、および、外折り重合可能とした請求項１ないし４のいずれかに記載の包装箱。
【考案の詳細な説明】
【技術分野】
【０００１】
本考案は、組立て式の包装箱に関し、更に詳しくは、メール便などで薄型の物品を送るのに好適に使用することのできる包装箱に関する。
【背景技術】
【０００２】
各種の輸送に用いられる組み立て式の包装箱としては、例えば特許文献１に示されているように、紙材を所定の形状に打ち抜き裁断して横長の原紙を製作し、この原紙の両端を糊付け連結して角筒状の箱素材を形成し、これを扁平に折り畳んでユーザーに提供し、ユーザーにおいては、箱素材の底部を折り上げて物品を収容し、その後、４枚のフラップを折り曲げて使用するように構成したものが知られている。
【先行技術文献】
【特許文献】
【０００３】
【特許文献１】特開２００７−２３０６２４号公報
【考案の概要】
【考案が解決しようとする課題】
【０００４】
上記構成の包装箱においては側壁部の高さが大きいので、打ち抜き裁断した原紙の両端における糊代が十分大きいものであり、自動貼付け機にかけて容易に連結処理して箱素材を製造することができるのであるが、深さが極端に浅い（例えば２ｃｍ程度）包装箱を上記と同様な構成で製造するとした場合、側壁部の端部における糊代を十分確保することが困難となり、貼付け不良が発生しやすくなる。
【０００５】
本考案は、このような点に着目してなされたものであって、貼付け不良を防止すると共に、組み上げが容易で梱包し易い包装箱を提供することを目的としている。
【課題を解決するための手段】
【０００６】
上記目的を達成するために、本考案は以下のように構成した。
【０００７】
（１）本考案に係る包装箱は、矩形の底部と、該底部の四周辺に連なる、２つの対向する第１側壁部および２つの対向する第２側壁部と、前記各第１側壁部にそれぞれ連なる第１フラップと、前記各第２側壁部にそれぞれに連なる第２フラップと、を備え、前記各第１フラップそれぞれの内面に貼り合せ連結される貼付け部を、それぞれ、折り線を介して内折り可能に前記各第１フラップそれぞれの側端に連設し、前記各貼付け部に形成した傾斜側端と台形形状に形成した前記各第２フラップの傾斜側端とをそれぞれ傾斜折り線を介して折込み部で繋ぎ、これら各折込み部それぞれを、それぞれの中央の中折り線を介して折込み重合可能とした、ことを特徴とする。
【０００８】
本考案によると、第１フラップの内面に貼り合せ連結される貼付け部を、第１フラップの側端に連設するので、第１，第２側壁部の高さ、すなわち、包装箱の高さに拘らず、十分な面積の貼付け部を確保することができ、これによって、浅い包装箱であっても十分な糊代を確保して貼付け不良が生じるのを防止することができる。
【０００９】
更に、本考案によると、貼付け部、折込み部、第２フラップ、および、第２側壁部を内側に折り曲げて底部、第１フラップおよび第１側壁部の内面上に折り重ねるとともに、貼付け部の内面を接着剤や両面テープなどを用いて第１フラップの内面に貼り付けることで扁平状態の包装箱素材を構成することができ、この扁平状態の包装箱素材をユーザーに提供する。
【００１０】
ユーザーが包装箱素材を梱包に使用する場合には、先ず、扁平に折り重ねられた包装箱素材における一対の第２フラップを持って底部に対して起立させる。この起立操作に伴って、第２フラップに折込み部を介して繋がる第１フラップおよび第１側壁部が引き起され、底部が全体的に露出開放された開箱状態となり、大きく開放保持された箱内に物品を容易に収納することが可能となる。物品を箱内に収納すると、例えば、先ず、第２フラップを内側に折り曲げ、次に、第１フラップを内側に折り曲げて第２フラップの上に重ね、必要に応じてテープ封緘などを行う。
【００１１】
（２）本考案の好ましい実施態様では、前記貼付け部と前記第１フラップとの繋がり長さを、台形形状の前記第２フラップの高さよりも長く設定している。
【００１２】
この実施態様によると、貼付け部を面積の大きいものにすることができ、大きい接着面積で貼付け部を強固に第１フラップに貼り合せ連結することができ、第２フラップを持って起立させた際に、その操作力の分力を、折込み部を介して確実に第１フラップに引起し力として伝達することができる。
【００１３】
（３）本考案の他の実施態様においては、前記貼付け部と前記折込み部との境界に形成した前記傾斜折り線から貼付け部側に突出する突起を前記折込み部の側端に備えている。
【００１４】
この実施態様によると、第２フラップの起立操作に伴って第１フラップが引起される際、折込み部が傾斜折り線を介して起立することになり、この時、突起の先端部が第１フラップの内面に突き当たり、傾斜折り線に近い貼付け部の接着されていない部位が第１フラップの内面から少し浮き上がるよう湾曲されながら突起の先端部が第１フラップの内面に沿って摺接移動することになる。折込み部が大きく起立されると、浮き上がり湾曲された貼付け部が扁平状態に復帰する力によって突起の先端部が第１フラップの内面に強く圧接され、第２フラップを起立させた後に手を離しても、突起と第１フラップ内面との接触抵抗によって第２フラップが復帰することが阻止される。これによって、底部が全体的に露出開放された開箱状態が保持されることになり、大きく開放保持された箱内に物品を容易に収納することが可能となる。
【００１５】
（４）本考案の他の実施態様においては、前記貼付け部と前記折込み部との境界に形成した前記傾斜折り線に臨む打抜き孔を貼付け部に形成している。
【００１６】
この実施態様によると、貼付け部と第２フラップとの実際の繋がり長さが短いものとなり、折込み部の折り込みが円滑容易に行われる。
【００１７】
（５）本考案の他の実施態様においては、前記折込み部を内折り重合、および、外折り重合可能としている。
【００１８】
この実施態様によると、第２フラップを内側としてその上に第１フラップを折り重ねる仕様の梱包と、逆に、第１フラップを内側としてその上に第２フラップを折り重ねる仕様の梱包とを任意に使い分けることが可能となる。
【考案の効果】
【００１９】
このように、本考案によれば、浅い包装箱であっても十分な糊代を確保して貼付け不良が生じるのを防止することができる。更に、扁平に折り重ねた包装箱素材から大きく開放された箱状に組み上げる操作が簡単なものとなり、組み上げが容易で梱包し易い実用性に優れた包装箱を提供することができる。
【図面の簡単な説明】
【００２０】
【図１】展開した原紙の平面図である。
【図２】展開した原紙の斜視図である。
【図３】包装箱素材を示す斜視図である。
【図４】開放した包装箱の斜視図である。
【図５】要部の縦断面図である。
【図６】標準仕様での梱包途中を示す斜視図である。
【図７】標準仕様で梱包した包装箱の斜視図である。
【図８】別仕様での梱包途中を示す斜視図である。
【図９】別仕様で梱包した包装箱の斜視図である。
【図１０】別実施例の原紙を示す平面図である。
【考案を実施するための形態】
【００２１】
以下、添付した図面を参照して本考案の実施例に係る包装箱を詳細に説明する。図１および図２に包装箱を構成する原紙を展開した状態で示す。これらの図を参照して、１は包装箱の原紙であり、この原紙１は、厚さが１ｍｍ程度の薄型の段ボール紙を型抜き裁断して形成されている。原紙１は、矩形形状の底部１ａを有すると共に、この底部１ａの四周辺に折り線ｂ，ｃを介して高さが２ｃｍほどの相対向する２つの第１側壁部１ｂと、相対向する２つの第２側壁部１ｃが連設されている。各第１側壁部１ｂには、折り線ｄを介して第１フラップ１ｄがそれぞれ連設されるとともに、各第２側壁部１ｃには、折り線ｅを介して台形形状の第２フラップ１ｅがそれぞれ連設されている。
【００２２】
また、各第１フラップ１ｄの両端に折れ線ｆを介して略台形形状の貼付け部１ｆが連設されるとともに、第２フラップ１ｅの傾斜側端と貼付け部１ｆの傾斜側端との間に、４５度の傾斜折り線ｇ，ｈを介して折込み部１ｇ，１ｈが連設され、さらに、折込み部１ｇ，１ｈの中央には中折り線ｉが備えられている。
【００２３】
各第１フラップ１ｄは、箱状に折り上げられた状態で先端部同士が互いに重合される長さに設定されるとともに、相互に挿し込み連結される係合爪２，３が両第１フラップ１ｄそれぞれの先端中央部にそれぞれ備えられている。
【００２４】
また、貼付け部１ｆと第１フラップ１ｄとの繋がり長さＬ１は、第２フラップ１ｅの高さＬ２よりも長く設定され、また、第２側壁部１ｃと第２フラップ１ｅとの境界に設けられる折り線ｅには、短いスリット４が断続的に切り込み形成され、第２フラップ１ｅの第２側壁部１ｃに対する折り込曲げの容易化が図られている。
【００２５】
また、折り線ｈに臨んで三角形状の打抜き孔５，６が開けられて、折込み部１ｈが貼付け部１ｆに対して容易に折り込むことができるように構成されるとともに、傾斜折り線ｇと中折り線ｉとに臨んで三角形状の打抜き孔７が開けられるとともに、中折り線ｉにも短いスリット４が形成されて、折込み部１ｇが第２フラップ１ｅに対して容易に折り込むことができ、かつ、折込み部１ｇ，１ｈ自体が中折り線ｉを介して容易に折り込むことができるようになっている。さらに、折り線ｈより打抜き孔５の内方に少し突出する突起８が折込み部１ｈから延出されている。
【００２６】
原紙１は以上のように構成されており、図３に示すように、貼付け部１ｆ、折込み部１ｇ、１ｈ、第２フラップ１ｅ、および、第２側壁部１ｃを一連の折り線ｃ，ｆに沿って内側に折り曲げて底部１ａ上に折り重ねるとともに、貼付け部１ｆの内面中央部位を接着剤や両面テープなどの接着部９を介して底部１ａの内面に貼り付けて扁平状態の包装箱素材Ａが形成され、この包装箱素材Ａがユーザーに提供される。
【００２７】
上記包装箱素材Ａを組み上げて物品を梱包する手順を以下に説明する。
【００２８】
先ず、図４に示すように、包装箱素材Ａの折り重ねられた第２フラップ１ｅを持って第２側壁部１ｃと共に起立させる。この起立操作に伴って、第２フラップ１ｅに折込み部１ｇ，１ｈを介して繋がる第１フラップ１ｄおよび第１側壁部１ｂが引き起される。
【００２９】
この場合、折込み部１ｇが傾斜折り線ｈを介して起立する際に、図５に示すように、突起８の先端部が第１フラップｄの内面に突き当たり、傾斜折り線ｈに近い貼付け部１ｆの接着されていない部位が第１フラップ１ｄの内面から少し浮き上がるよう湾曲されながら突起８の先端部が第１フラップ１ｄの内面に沿って摺接移動することになる。図５（ｃ）に示すように、折込み部１ｇが大きく起立されると、浮き上がり湾曲された貼付け部１ｆが扁平状態に復帰する力によって突起８の先端部が第１フラップ１ｄの内面に強く圧接され、第２フラップ１ｄを起立させた後に手を離しても、突起８と第１フラップ１ｄ内面との接触抵抗によって第２フラップ１ｃが図３に示す折り重ね状態に復帰することが阻止される。これによって、底部１ａが全体的に露出開放された開箱状態が保持されることになり、大きく開放保持された箱内に物品を容易に収納することが可能となる。
【００３０】
物品を箱内に収納すると、図６に示すように、先ず、第２フラップ１ｅを折り線ｅに沿って内側に折り曲げ、次に、第１フラップ１ｄを折り線ｄに沿って内側に折り曲げて第２フラップ１ｅの上に重ねる。この時、両第１フラップ１ｄの先端に備えた係合爪２，３を相互に挿し込むことで、図７に示すような梱包状態を得ることができ、必要に応じてテープ封緘を行う。
【００３１】
上記仕様が標準的な梱包であるが、この梱包仕様では、第２側壁部１ｃと第１，第２フラップ１ｄ，１ｅの端辺との間に隙間ｋが露呈するので、これを厭う場合には、図８，図９に示す別仕様での梱包も可能である。つまり、この仕様では、先ず折込み部１ｇ，１ｈを内側に折込み重合させながら第１フラップ１ｄを内側に折り込み、その上に第２フラップ１ｅを折り重ね、適所をテープを貼り付けて第２フラップ１ｅの開放を阻止する別の梱包仕様を採用することもできる。
[他の実施例]
【００３２】
本考案は次のような形態で実施することもできる。
【００３３】
（１）上記実施例では、前記繋がり長さＬ１を第２フラップ１ｅの高さＬ２より十分長く設定することで、貼付け部１ｆの貼付け面積を大きくして第１フラップ１ｄに対する貼り合せ連結強度を高めるようにしているが、繋がり長さＬ１を少なくとも第２フラップ１ｅの高さＬ２以上の長さにすることが望ましい。なお、繋がり長さＬ１を少なくとも第２フラップ１ｅの高さＬ２と等しくして実施する場合には、図１０に示すように、貼付け部１ｆと折込み部１ｈとの境界に臨む打抜き孔５に代えて、段違い状のスリット１０を形成することで、貼付け部１ｆの貼付け面積を余り小さくすることなく折込み部１ｈの折り曲げを容易にすることができ、かつ、フラップ起立状態からの復帰に抵抗を付与する突起８を得ることもできる。
【００３４】
（２）第１フラップ１ｄ同士を結合する手段として、上記実施例では相互に挿し込み連結される係合爪２，３を利用しているが、一方の第１フラップ１ｄに設けた係止下片を他方の第１フラップ１ｄに設けたスリットに差し込む手段を利用することもできる。
【産業上の利用可能性】
【００３５】
本考案は、薄型の物品などを収納する包装箱として特に有用である。
【符号の説明】
【００３６】
１ａ              底部
１ｂ              第１側壁部
１ｃ              第２側壁部
１ｄ              第１フラップ
１ｅ              第２フラップ
１ｆ              貼付け部
１ｇ              折込み部
１ｈ              折込み部
２                係合爪
３                係合爪
４                打抜き孔
５                打抜き孔
７                打抜き孔
８                突起
ｇ                傾斜折り線
ｈ                傾斜折り線
ｉ                中折り線
【図１】
0003163315.tif 000003
【図２】
0003163315.tif 000004
【図３】
0003163315.tif 000005
【図４】
0003163315.tif 000006
【図５】
0003163315.tif 000007
【図６】
0003163315.tif 000008
【図７】
0003163315.tif 000009
【図８】
0003163315.tif 000010
【図９】
0003163315.tif 000011
【図１０】
0003163315.tif 000012